(57)【要約】【課題】十分な省エネ化を図ることができるとともに、安定した制御を行うことのできる空調システムを提供する。【解決手段】空調システム１０は、冷凍機３０と、冷却水の第１循環路４０と、冷却水の第２循環路４４と、第１循環路４０に配設される第１冷却コイル５４を有する第１外調機５０と、第２循環路４４に配設される第２冷却コイル５４を有する第２外調機６０と、を備え、第１冷却コイル５４と第２冷却コイル６４は開閉弁７０を介して連通され、開閉弁７０を開くことによって第１循環路４０と第２循環路４４が第１冷却コイル５４、第２冷却コイル６４を介して連通され、一つの循環路が形成される。【選択図】  図１
2008170131.tif 000002
【特許請求の範囲】
【請求項１】
熱媒体を蒸発器と凝縮器とに循環させる冷凍機と、
冷却水を前記蒸発器と冷却負荷部とに循環させる第１循環路と、
冷却水を前記凝縮器に循環させる第２循環路と、
前記第１循環路に配設され、該第１循環路の冷却水がその内部を通過する第１冷却コイルと、該第１冷却コイルの外側に水を噴霧する第１噴霧装置と、前記第１冷却コイルの外側をエアが通過するように送風する第１ファンとを備えた第１外調機と、
前記第２循環路に配設され、該第２循環路の冷却水がその内部を通過する第２冷却コイルと、該第２冷却コイルの外側に水を噴霧する第２噴霧装置と、前記第２冷却コイルの外側をエアが通過するように送風する第２ファンとを備えた第２外調機と、を備え、
前記第１冷却コイルと前記第２冷却コイルは開閉弁を介して連通され、該開閉弁を開くことによって前記第１循環路と前記第２循環路が第１冷却コイル、前記第２冷却コイルを介して連通されて一つの循環路が形成され、該循環路を前記冷却水が循環することを特徴とする空調システム。
【請求項２】
外気の温度を測定する温度センサと、
該温度センサの測定値に基づいて、前記開閉弁、前記第１外調機、前記第２外調機、及び、前記冷凍機を制御する制御装置を備え、
前記制御装置は、
前記開閉弁を閉じて前記第１外調機を停止するとともに前記冷凍機と前記第２外調機を駆動する冷凍運転と、
前記開閉弁を閉じて前記第１外調機、前記第２外調機、前記冷凍機を駆動する中間運転と、
前記開閉弁を開いて前記第１外調機及び／又は前記第２外調機を駆動するとともに前記冷凍機を停止するフリークーリング運転と、
を切り替え制御することを特徴とする請求項１に記載の空調システム。
【請求項３】
前記第１外調機及び第２外調機はダクトを介して前記冷却負荷部に接続され、前記第１外調機、前記第２外調機を通過したエアが前記ダクトを介して前記冷却負荷部に送気されることを特徴とする請求項１又は２に記載の空調システム。
【発明の詳細な説明】
【技術分野】
【０００１】
本発明は空調システムに係り、特に一年を通じて冷房運転を行うクリーンルームやビル設備などの空調システムに関する。
【背景技術】
【０００２】
クリーンルームやビル設備では一年を通じて冷房運転が行われている。このような空調システムでは省エネ化を図るために、冷熱源として冷凍機と冷却塔とを併用した空調システムが開発されている。
【０００３】
たとえば特許文献１には、外気温度の低い冬期に冷却塔を冷熱源とするとともに、外気温度の高い夏期に冷凍機を冷熱源とする空調システムが記載されている。この空調システムによれば、外気温度の高い夏期にも確実に冷却水を得ることができるとともに、外気温度の低い冬期にはフリークーリングを実施して省エネ化を図ることができる。
【０００４】
ところで、冷凍機と冷却塔とを併用した空調システムは、その冷熱源の切り替え制御が非常に難しいという問題がある。たとえば、上記の特許文献１では、外気の湿球温度に基づいてフリークーリングが有効か否かを判断し、この判断結果に基づいてフリークーリングの有効時間帯のみの日が所定期間連続して続いた場合にフリークーリングへの切り替え制御を行っている。したがって、フリークーリングへの切り替えは一年に一回だけであり、十分な省エネ効果が得られないという問題があった。
【０００５】
そこで、特許文献２は、外気の温度及び湿度を監視し、外気温度が室内の温度及び湿度条件での露点温度以下になった際に、冷凍機からの冷却水の温度を外気温度まで上昇させてからフリークーリングに切り替える空調システムが提案されている。この空調システムによれば、３月や４月のような中間期でもフリークーリングを使用することができる。
【特許文献１】特開平８−１１４３４７号公報
【特許文献２】特開２００４−２９３８８６号公報
【発明の開示】
【発明が解決しようとする課題】
【０００６】
しかしながら、引用文献２は、冷凍機と冷却塔（フリークーリング）のいずれか一方を冷熱源として選択するだけであり、冷熱源を冷却塔から冷凍機に切り替える際に制御が不安定になるという問題や、フリークーリングを使用できる期間が短く、十分な省エネ効果が得られないという問題があった。
【０００７】
本発明はこのような事情に鑑みて成されたもので、十分な省エネ化を図ることができるとともに、安定した制御を行うことのできる空調システムを提供することを目的とする。
【課題を解決するための手段】
【０００８】
請求項１に記載の発明は前記目的を達成するために、熱媒体を蒸発器と凝縮器とに循環させる冷凍機と、冷却水を前記蒸発器と冷却負荷部とに循環させる第１循環路と、冷却水を前記凝縮器に循環させる第２循環路と、前記第１循環路に配設され、該第１循環路の冷却水がその内部を通過する第１冷却コイルと、該第１冷却コイルの外側に水を噴霧する第１噴霧装置と、前記第１冷却コイルの外側をエアが通過するように送風する第１ファンとを備えた第１外調機と、前記第２循環路に配設され、該第２循環路の冷却水がその内部を通過する第２冷却コイルと、該第２冷却コイルの外側に水を噴霧する第２噴霧装置と、前記第２冷却コイルの外側をエアが通過するように送風する第２ファンとを備えた第２外調機と、を備え、前記第１冷却コイルと前記第２冷却コイルは開閉弁を介して連通され、該開閉弁を開くことによって前記第１循環路と前記第２循環路が第１冷却コイル、前記第２冷却コイルを介して連通されて一つの循環路が形成され、該循環路を前記冷却水が循環することを特徴とする空調システムを提供する。
【０００９】
請求項１の発明によれば、開閉弁を閉じることによって第１循環路と第２循環路が遮断されるので、第１循環路と第２循環路には冷却水が別々に循環する。したがって、冷凍機を駆動することによって、凝縮器の熱媒体が第２循環路の冷却水に冷却されて凝縮され、その熱媒体が蒸発器において蒸発することによって第１循環路の冷却水が冷却され、この冷却水が冷却負荷部に送液される。したがって、冷凍機を冷熱源として冷却負荷部を冷却することができる。
【００１０】
その際、第１外調機（すなわち第１噴霧装置及び第１ファン）を停止すれば、冷凍システムのみを利用した冷凍運転を行うことができる。また、第１外調機を駆動すれば、冷凍システムと、噴霧水を利用したフリークーリングシステムとを併用することができる。すなわち、第１循環路の冷却水が第１外調機によって予備的に冷却され、その冷却水が冷凍機の蒸発器に供給されるので、冷凍機における冷却負荷を減らすことができる。
【００１１】
一方、開閉弁を開いた際には、第１循環路と第２循環路とが連通されて一つの循環路となるので、冷却水が第１コイル及び第２コイルを通過して循環される。その際、第１外調機と第２外調機の両方又は一方を駆動し、冷凍機を停止することによって、噴霧水によるフリークーリングシステムだけで空調を行うことができる。
【００１２】
以上のように、請求項１の発明によれば、冷凍システムのみの運転とフリークーリングのみの運転を行うことができるだけでなく、冷凍システムとフリークーリングを同時に併用した運転を行うことができ、より省エネ化を図ることができる。また、冷凍システムのみの運転とフリークーリングのみの運転との間に、両方を同時に併用した運転を行うことによって制御を安定化させることができる。
【００１３】
請求項２に記載の発明は請求項１の発明において、外気の温度を測定する温度センサと、該温度センサの測定値に基づいて、前記開閉弁、前記第１外調機、前記第２外調機、及び、前記冷凍機を制御する制御装置を備え、前記制御装置は、前記開閉弁を閉じて前記第１外調機を停止するとともに前記冷凍機と前記第２外調機を駆動する冷凍運転と、前記開閉弁を閉じて前記第１外調機、前記第２外調機、前記冷凍機を駆動する中間運転と、前記開閉弁を開いて前記第１外調機及び／又は前記第２外調機を駆動するとともに前記冷凍機を停止するフリークーリング運転と、を切り替え制御することを特徴とする。
【００１４】
請求項２の発明によれば、冷凍機と第２外調機による冷凍システムを用いた冷凍運転と、第１、第２の外調機によるフリークーリングを行うフリークーリング運転と、冷凍システムとフリークーリングを併用した中間運転とを外気温度に応じて切り替えるので、外気温度に応じて省エネ運転を行うことができる。
【００１５】
請求項３に記載の発明は請求項１又は２の発明において、前記第１外調機及び第２外調機はダクトを介して前記冷却負荷部に接続され、前記第１外調機、前記第２外調機を通過したエアが前記ダクトを介して前記冷却負荷部に送気されることを特徴とする。
【００１６】
請求項３の発明によれば、第１外調機、第２外調機で冷却されたエアを冷却負荷部に送気することによって冷却負荷部を直接冷却することができ、より省エネ化を図ることができる。
【発明の効果】
【００１７】
本発明によれば、冷凍機と第２外調機による冷凍システムを用いた冷凍運転と、第１、第２外調機によるフリークーリングを行うフリークーリング運転と、冷凍システムとフリークーリングの両方を行う中間運転とを切り替えることができるので、フリークーリングの使用期間を広げて省エネ化を図ることができるとともに、運転の切り替え時の制御を安定させることができる。
【発明を実施するための最良の形態】
【００１８】
以下添付図面に従って本発明に係る空調システムの実施の形態について説明する。
【００１９】
図１は、本実施の形態の空調システムを示す構成図である。同図に示すように、空調システム１０は主として、冷却負荷部１２、冷凍機３０、第１外調機５０、第２外調機６０によって構成されている。
【００２０】
冷却負荷部１２は冷熱を利用する部分であり、クリーンルームの被空調室１４と、その被空調室１４に連通される内調機１６とによって構成される。内調機１６は、給気口１８ａと送気口１８ｂを有するケーシング１８と、このケーシング１８の内部に設けられたコイル２０、加湿器２２、及び、ファン２４とを備え、ファン２４を駆動することによって給気口１８ａからケーシング１８内にエア（たとえば被空調室１４からの還気）が吸い込まれる。
【００２１】
コイル２０は、後述の第１循環路４０上に配設されており、その内部を冷却水が通過するようになっている。加湿器２２は、水が供給されることによって、エア中に水蒸気を噴霧し、エアを加湿するように構成される。したがって、ケーシング１８内に吸引されたエアは、コイル２０によって冷却され、必要に応じて加湿器２２によって加湿される。このようにして空調されたエアが被空調室１４に給気される。なお、冷却負荷部１２は、冷熱を利用する構成であればよく、上記の構成に限定されるものではない。したがって、たとえば、被空調室１４内に顕熱交換器（不図示）を設け、この顕熱交換器に第１循環路４０の冷却水を循環させるようにしてもよい。
【００２２】
冷凍機３０は主として、熱媒体の循環路３２と、その循環路３２に配設された蒸発器３４、凝縮器３６、及び、圧縮機３８によって構成される。圧縮機３８は、後述の制御装置７２によって制御されており、この圧縮機３８を駆動することによって熱媒体が蒸発器３４と凝縮器３６とを循環するようになっている。また、圧縮機２８による圧縮量を制御することによって、蒸発器３４と凝縮器３６とを循環する熱媒体の循環量が制御される。
【００２３】
蒸発器３４は第１循環路４０に配設されている。第１循環路４０は、第１ポンプ４２、蒸発器３４、コイル２０、及び、後述の第１冷却コイル５４を接続するように構成されており、第１ポンプ４２を駆動することによって、第１循環路４０内の冷却水が蒸発器３４、コイル２０、第１冷却コイル５６の順で循環するようになっている。第１循環路４０内の冷却水は、蒸発器３４において熱媒体から蒸発潜熱が奪われて冷却される。
【００２４】
一方、凝縮器３６は第２循環路４４に配設されている。第２循環路４４は、第２ポンプ４６、凝縮器３６、及び、後述の第２冷却コイル６４を接続するように構成されており、第２ポンプ４６を駆動することによって、第２循環路４４内の冷却水が凝縮器３６と第２冷却コイル６４とを循環するようになっている。第２循環路４４内の冷却水は、凝縮器３６において熱媒体に冷熱を伝達するように構成される。
【００２５】
上記の如く構成された冷凍機３０は、圧縮機３８を駆動することによって、熱媒体が圧縮されて蒸発器３４に供給される。そして、蒸発器３４において熱媒体が蒸発し、第１循環路４０内の冷却水が冷却される。蒸発した熱媒体は、不図示の拡張弁によって内圧が低下した後、凝縮器３６で第２循環路４４内の冷却水に放熱することによって凝縮される。このように熱媒体が冷凍機３０の循環路３２を循環することによって、第１循環路４０の冷却水が所定の温度に冷却される。その際、圧縮機３８による圧縮量を可変することによって、第１循環路４０の冷却水が一定の温度に制御されて熱負荷部１２に供給される。なお、冷凍機３０の構成は特に限定するものではなく、ターボ式や吸収式など様々な構成を採用することができる。
【００２６】
第１外調機５０は、給気口５２ａと送気口５２ｂを有する第１ケーシング５２を備え、この第１ケーシング５２が横向きに配置される。第１ケーシング５２の内部には、第１冷却コイル５４、第１ノズル５６、及び、第１ファン５８が設けられており、第１ファン５８を駆動することによって第１ケーシング５２内にエア（外気）が吸引される。第１冷却コイル５４には、前述の第１循環路４０が接続されており、その内部を第１循環路４０内の冷却水が通過するようになっている。したがって、第１冷却コイル５４の内側を通過する冷却水は、外側を通過するエアによって冷却される。
【００２７】
第１ノズル５６は、第１ポンプ５７を介して不図示の水供給源に接続され、第１ポンプ５７を駆動することによって第１ノズル５６に水が供給される。さらに、第１ノズル５６は、供給された水を第１冷却コイル５４に向けて噴霧するように構成される。これにより、噴霧された水の蒸発潜熱によって、第１冷却コイル５４とその外側を通過するエアから熱が奪われ、冷却水の冷却効果が高められる。なお、噴霧されたエアは、第１冷却コイル５４の下方で回収して廃棄してもよいし、第１ノズル５６からの噴霧水として再利用してもよい。また、第１ノズル５６の位置は、第１冷却コイル５４に噴霧できる位置であればよく、第１冷却コイル５４に対して上流側、下流側、上方のいずれでもよい。
【００２８】
上記の如く構成された第１外調機５０によれば、第１冷却コイル５４の外側を通過するエアと第１ノズル５６から噴霧した水によって、第１冷却コイル５４の内側を通過する冷却水が冷却される。
【００２９】
第２外調機６０は、第１外調機５０と同様に構成される。すなわち、第２外調機６０は、給気口６２ａと送気口６２ｂを有する第２ケーシング６２を備え、この第２ケーシング６２が横向きに配置される。第２ケーシング６２の内部には、第２冷却コイル６４、第２ノズル６６、及び、第２ファン６８が設けられており、第２ファン６８を駆動することによって第２ケーシング６２内にエア（外気）が吸引される。第２冷却コイル６４には、前述の第２循環路４４が接続されており、その内部を第２循環路４４内の冷却水が通過するようになっている。したがって、第２冷却コイル６４の内側を通過する冷却水は、外側を通過するエアによって冷却される。
【００３０】
第２ノズル６６は、第２ポンプ６７を介して不図示の水供給源に接続され、第２ポンプ６７を駆動することによって第２ノズル６６に水が供給される。さらに、第２ノズル６６は、供給された水を第２冷却コイル６４に向けて噴霧するように構成される。これにより、噴霧された水の蒸発潜熱によって、第２冷却コイル６４とその外側を通過するエアから熱が奪われ、冷却水の冷却効果が高められる。なお、噴霧されたエアは、第２冷却コイル６４の下方で回収して廃棄してもよいし、第２ノズル６６からの噴霧水として再利用してもよい。また、第２ノズル６６の位置は、第２冷却コイル６４に噴霧できる位置であればよく、第２冷却コイル６４に対して上流側、下流側、上方のいずれでもよい。
【００３１】
上記の如く構成された第２外調機６０によれば、第２冷却コイル６４の外側を通過するエアと第２ノズル６６から噴霧した水によって、第２冷却コイル６４の内側を通過する冷却水が冷却される。
【００３２】
なお、第１外調機５０と第２外調機６０は並設することが好ましい。すなわち、第１ケーシング５２と第２ケーシング６２を並べて設置することが好ましい。これにより、第１外調機５０及び第２外調機６０を小型化することができる。
【００３３】
上述した第１外調機５０の第１冷却コイル５４と第２外調機６０の第２冷却コイル６４は、開閉弁７０、７０を介して連通される。第１冷却コイル５４と第２冷却コイル６４とが連通された場合、第１循環路４０と第２循環路４４とが連通されて一つの循環路（以下、大循環路）が形成され、第１循環路４０内の冷却水と第２循環路４４内の冷却水とは一緒になって大循環路を循環する。なお、大循環路は、冷却水が第１冷却コイル５４、蒸発器３４、コイル２０、第１冷却コイル５４、第２冷却コイル６４、凝縮器３６、第２冷却コイル６４の順で循環するように構成される。
【００３４】
また、開閉弁７０、７０を閉じた際には、第１冷却コイル５４と第２冷却コイル６４とが遮断される。したがって、第１循環路４０と第２循環路４４には冷却水が別々に循環される。
【００３５】
開閉弁７０、７０は制御装置７２に接続されており、制御装置７２によってその開閉操作が制御される。制御装置７２は、上述した冷凍機３０の圧縮機３８、第１外調機５０の第１ファン５８と第１ポンプ５７、第２外調機６０の第２ファン６８と第２ポンプ６７に接続される。したがって、冷凍機３０、第１外調機５０、第２外調機６０のＯＮ／ＯＦＦを制御装置７２によって操作することができる。
【００３６】
さらに制御装置７２は、外気温度を測定する外気温度センサ７６に接続されており、この外気温度センサ７６の測定値に応じて冷凍機３０、第１外調機５０、第２外調機６０を制御し、且つ、開閉弁７０の開閉を操作するようになっている。具体的には、（１）外気温度が高い夏期に行う冷凍運転と、（２）外気温度が低い冬期に行うフリークーリング運転と、（３）外気温度がその中間期である際に行う中間運転とで切り替え制御するようになっている。以下、（１）〜（３）の運転について具体的に説明する。
【００３７】
（１）外気温度が高い夏期（たとえば２０℃〜３５℃）は、第１外調機５０でフリークーリングを行っても第１循環路４０内の冷却水を十分に冷却することができないので、冷熱源として冷凍システム（冷凍機３０及び第２外調機６０）を使用する。すなわち、制御装置７２は、開閉弁７０、７０を閉じて第１循環路４０と第２循環路４４とを遮断する。同時に、冷凍機３０の圧縮機３８を駆動するとともに、第２外調機６０の第２ファン６８と第２ポンプ６７を駆動する。これにより、第２循環路４４内の冷却水が第２外調機６０の第２冷却コイル６４を通過することによって冷却され、さらにこの冷却水が冷凍機３０の凝縮器３６に供給されて熱媒体に冷熱を伝達することによって、蒸発器３４内で第１循環路４０の冷却水が熱媒体により冷却される。したがって、冷却負荷部１２に供給される冷却水が冷凍機３０を冷熱源として確実に冷却され、冷却負荷部１２で確実に冷房を行うことができる。なお、この冷凍運転では、第１外調機５０の第１ファン５８と第１ポンプ５７は停止される。
【００３８】
（２）外気温度が低い冬期（たとえば０℃〜１０℃）は、フリークーリングだけで冷却負荷部１２への冷却水を十分に冷却できる状態であり、フリークーリングシステム（第１外調機５０及び第２外調機６０）のみを利用したフリークーリング運転を行う。すなわち、制御装置７２は、開閉弁７０を開いて第１循環路４０と第２循環路４４とを連通させる。これにより、大循環路が形成され、冷却水が大循環路を循環する。同時に制御装置７２は、第１外調機５０及び第２外調機６０を駆動し、冷凍機３０を停止する。これにより、大循環路を循環する冷却水は、第１冷却コイル５４と第２冷却コイル６４で冷却され、冷却負荷部１２に供給される。これにより、フリークーリングシステムのみで冷却水が冷却されるので、冬期における省エネ運転を図ることができる。
【００３９】
（３）外気温度が（１）と（２）の中間である中間期（たとえば１０℃〜２０℃）は、冷却負荷部１２で必要とされる冷却水よりも外気温度が低いが、フリークーリングだけでは制御が不安定になる。そこで、冷熱源として、冷凍システム（冷凍機３０と第２外調機６０）とフリークーリングシステム（第１外調機５０）とを併用する。すなわち、制御装置７２は、開閉弁７０を閉じた状態にして第１循環路４０と第２循環路４４とを遮断した状態にする。同時に、冷凍機３０の圧縮機３８、第１外調機５０の第１ファン５８と第１ポンプ５７、第２外調機６０の第２ファン６８と第２ポンプ６７を駆動する。これにより、（１）の場合と同様に、第２循環路４４内の冷却水が第２外調機６０の冷却コイル６４を通過して冷却され、この冷却水が冷凍機３０の凝縮器３６に供給され、熱媒体に冷熱を伝達し、蒸発器３４によって第１循環路４０内の冷却水が冷却される。さらに、この中間期では、第１外調機５０を駆動したことによって、冷凍機３０に供給される前の第１循環路４０内の冷却水が、フリークーリングによって予備的に冷却される。したがって、外気を利用して冷却水を予備的に冷却した後に、冷凍機３０で冷却するので、冷凍機３０でのエネルギー消費量を減らすことができる。また、（１）の冷凍運転と（２）のフリークーリング運転との間に、上記の中間運転を行うことによって、冷凍運転とフリークーリング運転との切換えに伴う制御変動を抑制することができ、安定した制御を行うことができる。
【００４０】
このように本実施の形態によれば、冷凍運転とフリークーリング運転とを切り替えるだけでなく、両方を同時に用いた中間運転を行うようにしたので、制御の安定化を図ることができるとともに、フリークーリングを多用して省エネ化を図ることができる。
【００４１】
図２は第２の実施形態の空調システムを示す構成図である。同図に示すように、第２の実施形態では、第１外調機５０のケーシング５２の送気口５２ｂが第１ダクト８０を介して被空調室１４に連通されるとともに、第２外調機６０のケーシング６２の送気口６２ｂが第２ダクト８２を介して被空調室１４に連通されている。第１ダクト８０及び第２ダクト８２にはそれぞれ、第１ダンパ８４、第２ダンパ８６が配設されている。この第１ダンパ８４、第２ダンパ８６はそれぞれ、第１ダクト８０内のエアの温度、第２ダクト８２内のエアの温度が被空調室１４内の温度よりも低い場合に開くように制御される。
【００４２】
上記の如く構成された第２の実施形態によれば、第１外調機５０や第２外調機６０で冷却したエアを被空調室１４に直接給気して冷房することができるので、より省エネ化を図ることができる。
【００４３】
なお、第２の実施形態では、第１外調機５０、第２外調機６０のエアを被空調室１４に給気するようにしたが、内調機１６に給気するようにしてもよい。すなわち、第１ダクト８０、第２ダクト８２の先端を内調機１６のケーシング１８の給気口１８ａに連通するようにしてもよい。この場合、第１外調機５０や第２外調機６０で冷却したエアを内調機１６で冷却するので、内調機１６の負荷を減らすことができ、より省エネ化を図ることができる。
【００４４】
なお、上述した第１、第２の実施形態では、外気温度に応じて（１）〜（３）の運転の切替制御を行ったが、これに限定するものではなく、外気の温度と湿度に応じて制御するようにしてもよい。また、外気気象情報を元に３０分後のフリークーリングの性能予測を行い、冷凍システムとの比較を行うことで、最適な冷熱源を選択して（１）〜（３）の運転を切替制御するようにしてもよい。
【００４５】
また、上述した第１、第２の実施形態では、フリークーリング運転時に第１外調機５０と第２外調機６０の両方を駆動するようにしたが、どちらか一方のみを駆動するようにしてもよい。また、第１外調機５０と第２外調機６０の容量（冷却能力）を変えて構成し、必要に応じて第１外調機５０と第２外調機６０とを切り替えてフリークーリング運転するようにしてもよい。
【００４６】
さらに、上述した第１、第２の実施形態は、第１外調機５０を横型の構成としたが、冷却塔のように縦型の構成としてもよい。すなわち、ケーシング５２を縦に配置し、第１冷却コイル５４、第１ノズル５６、第１ファン５８を上下に並べて配置してもよい。同様に、第２外調機６０を縦型に構成してもよい。
【００４７】
また、上述した第１、第２の実施形態は、第１外調機５０と第２外調機６０とを別々に構成したが、これに限定するものではなく、一体的に構成してもよい。たとえば、図３に示す空調システムは、第１冷却コイル５４、第１ノズル５６、第２冷却コイル６４、第２ノズル６６が一つのケーシング９０内に配置される。ケーシング９０内にはファン９２が設けられ、このファン９２を駆動することによって、ケーシング９０の給気口９０ａから外気が吸引され、送気口９０ｂから吹き出される。
【００４８】
図３の第１循環路４０には、バイパス路９４が接続されており、その接続位置には三方弁９５、９５が設けられている。この三方弁９５、９５を操作することによって、バイパス路９４を通らない循環路（すなわち第１循環路４０）と、バイパス路９４を通って第１循環路４０をショートカットする循環路（すなわち、蒸発器３４とコイル２０とだけを循環する循環路）とが切り替え操作される。
【００４９】
また、第１循環路４０と第２循環路４４は、連結路９６、９６を介して接続されており、その接続位置には三方弁９７、９７…が配設されている。この三方弁９７、９７…を操作することによって、第１循環路４０と第２循環路４４の連通、遮断が切り替えられる。なお、第１循環路４０と第２循環路４４とを連通した場合には、第１冷却コイル５４、第２冷却コイル６４、蒸発器３４、コイル２０を順に冷却水が循環するような大循環路が形成される。
【００５０】
上記の如く構成された実施形態では、（１）冷凍運転の際は、三方弁９７によって第１循環路４０と第２循環路４４とを遮断し、且つ、三方弁９５によってバイパス路９４を開いて第１冷却コイル５４をショートカットする。これにより、冷凍機３０と第２冷却コイル６４による冷凍システムだけで冷房運転を行うことができる。また、（２）フリークーリング運転の際は、三方弁９７によって第１循環路４０と第２循環路４４とを連通させるとともに、三方弁９５によってバイパス路９４を閉じる。これにより、冷却水が大循環路を循環するので、フリークーリングだけで冷房運転を行うことができる。さらに（３）中間運転の際は、三方弁９７によって第１循環路４０と第２循環路４４とを遮断し、且つ、三方弁９５によってバイパス路９４を閉じる。これにより、第１冷却コイル５４に第１循環路４０の冷却水が供給され、第２冷却コイル６４に第２循環路４４の冷却水が供給されるので、冷凍システムとフリークーリングを併用した中間運転を行うことができる。
【図面の簡単な説明】
【００５１】
【図１】第１の実施形態の空調システムを模式的に示す構成図
【図２】第２の実施形態の空調システムを模式的に示す構成図
【図３】他の実施形態の空調システムを模式的に示す構成図
【符号の説明】
【００５２】
１０…空調システム、１２…空調負荷部、１４…被空調室、１６…内調機、１８…ケーシング、２０…コイル、２２…加湿器、２４…ファン、３０…冷凍機、３２…循環路、３４…蒸発器、３６…凝縮器、３８…圧縮機、４０…第１循環路、４２…ポンプ、４４…第２循環路、４６…ポンプ、５０…第１外調機、５２…第１ケーシング、５４…第１冷却コイル、５６…第１ノズル、５８…第１ファン、６０…第２外調機、６２…第２ケーシング、６４…第２冷却コイル、６６…第２ノズル、６８…第２ファン、７０…開閉弁、７２…制御装置、８０…第１ダクト、８２…第２ダクト、８４…第１ダンパ、８６…第２ダンパ
【図１】
2008170131.tif 000003
【図２】
2008170131.tif 000004
【図３】
2008170131.tif 000005